(57)【要約】【課題】  定着用の光スポットの光強度を一様でＬＥＤの光源の場合より強くすることができ、定着処理に時間を要しないようにすることができるホログラム記録装置及びホログラム記録方法を提供することにある。【解決手段】  ホログラム記録媒体に記録用レーザ光を照射し、その後定着用光を照射してホログラム記録媒体にデータの記録を行うホログラム記録装置において、レーザ光源から出射したレーザ光を散乱させることで定着用光とするレーザ光散乱手段と、レーザ光散乱手段を、記録用レーザ光を照射するレーザ光源からホログラム記録媒体までの間のレーザ光の光路上に挿脱自在に配置させる配置手段を備え、光路上のレーザ光散乱手段の有無により、レーザ光を定着用光又は記録用レーザ光にすることを特徴とする。【選択図】図２
2007279475.tif 000002
【特許請求の範囲】
【請求項１】
ホログラム記録媒体に記録用レーザ光を照射し、その後定着用光を照射して該ホログラム記録媒体にデータの記録を行うホログラム記録装置において、
レーザ光源から出射したレーザ光を散乱させることで該定着用光とするレーザ光散乱手段を備えることを特徴とするホログラム記録装置。
【請求項２】
前記レーザ光散乱手段を回転させる回転手段を備えることを特徴とする請求項１記載のホログラム記録装置。
【請求項３】
前記レーザ光散乱手段が、すりガラスであることを特徴とする請求項１又は請求項２記載のホログラム記録装置。
【請求項４】
前記レーザ光散乱手段を、前記記録用レーザ光を照射するレーザ光源から該ホログラム記録媒体までの間のレーザ光の光路上に挿脱自在に配置させる配置手段を備え、
該光路上の該レーザ光散乱手段の有無により、該レーザ光を前記定着用光又は該記録用レーザ光にすることを特徴とする請求項１〜請求項３のいずれかに記載のホログラム記録装置。
【請求項５】
ホログラム記録媒体に記録用レーザ光を照射し、その後定着用光を照射して該ホログラム記録媒体にデータの記録を行うホログラム記録方法において、
該ホログラム記録媒体に記録用レーザ光を照射した後、
レーザ光源から該ホログラム記録媒体までの間のレーザ光の光路上に、該レーザ光を散乱させるレーザ光散乱手段を配置させ、
該散乱したレーザ光を該定着用光として該ホログラム記録媒体に照射することを特徴とするホログラム記録方法。
【請求項６】
前記レーザ光散乱手段を回転させることを特徴とする請求項５記載のホログラム記録方法。
【請求項７】
前記レーザ光散乱手段が、すりガラスであることを特徴とする請求項５又は請求項６記載のホログラム記録方法。
【請求項８】
前記レーザ光散乱手段を、前記記録用レーザ光を照射するレーザ光源から該ホログラム記録媒体までの間のレーザ光の光路上に挿脱自在に配置させることで、
該光路上の該レーザ光散乱手段の有無により、該レーザ光を前記定着用光又は該記録用レーザ光にすることを特徴とする請求項５〜請求項７のいずれかに記載のホログラム記録方法。
【発明の詳細な説明】
【技術分野】
【０００１】
本発明は、ホログラム記録媒体へ記録を行うためのホログラム記録装置及びホログラム記録方法に関する。
【背景技術】
【０００２】
従来より、光ディスクに記録するデータの容量を大きくするため、ホログラム記録媒体へ多重記録を行う研究が進められている。ホログラム記録媒体へ多重記録を行う方法としては、現時点では主に２光束干渉方式とコリニア方式があるが、いずれの方法も情報光と参照光を照射してホログラム記録媒体にデータを記録した後、何の処理も行わないと時間と共に記録した情報が消えていったり、再生時に参照光を照射するたびに情報が消えていったりする。
【０００３】
このため、情報光と参照光を照射してホログラム記録媒体にデータを記録した後、定着（ファイナライジング）という処理を行う必要があり、この処理方法としては熱処理を施す方法もあるが、一般的には、２光束干渉方式では特許文献１、コリニア方式では特許文献２にそれぞれ示されているように、情報光や参照光とは別の定着用の光を照射する方法が採用されている。
【０００４】
さて、記録用レーザ光（情報光と参照光）と定着用光をホログラム記録媒体に照射するまでの光学系を同一にした場合、定着用光の光源にはＬＥＤが用いられることが多い。これは、レーザ光の光路断面方向の光強度がガウス分布になっているため、レーザ光を用いるとホログラム記録媒体上に形成された光スポットは中心から外側にいくに従って光強度が弱くなっており一様な定着処理ができないためである。
【特許文献１】特開平１１−１３３８４３号公報
【特許文献２】特開２００３−１７８４６２号公報
【発明の開示】
【発明が解決しようとする課題】
【０００５】
しかしながら、定着用光の光源にＬＥＤを用いるとホログラム記録媒体上に形成された光スポット内の光強度はほぼ一様であっても光強度が弱く、定着処理には時間がかかる。
【０００６】
本発明は、このような事情に鑑みてなされたもので、定着用の光スポットの光強度を一様でＬＥＤの光源の場合より強くすることができ、定着処理に時間を要しないようにすることができるホログラム記録装置及びホログラム記録方法を提供することにある。
【課題を解決するための手段】
【０００７】
請求項１記載のホログラム記録装置は、レーザ光源から出射したレーザ光を散乱させることで定着用光とするレーザ光散乱手段を備えることを特徴とする。
【０００８】
請求項２記載のホログラム記録装置は、レーザ光散乱手段を回転させる回転手段を備えることを特徴とする。
【０００９】
請求項３記載のホログラム記録装置は、レーザ光散乱手段が、すりガラスであることを特徴とする。
【００１０】
請求項４記載のホログラム記録装置は、レーザ光散乱手段を、記録用レーザ光を照射するレーザ光源からホログラム記録媒体までの間のレーザ光の光路上に挿脱自在に配置させる配置手段を備え、光路上のレーザ光散乱手段の有無により、レーザ光を定着用光又は記録用レーザ光にすることを特徴とする。
【００１１】
請求項５記載のホログラム記録方法は、ホログラム記録媒体に記録用レーザ光を照射した後、レーザ光源からホログラム記録媒体までの間のレーザ光の光路上に、レーザ光を散乱させるレーザ光散乱手段を配置させ、散乱したレーザ光を定着用光としてホログラム記録媒体に照射することを特徴とする。
【００１２】
請求項６記載のホログラム記録方法は、レーザ光散乱手段を回転させることを特徴とする。
【００１３】
請求項７記載のホログラム記録方法は、レーザ光散乱手段が、すりガラスであることを特徴とする。
【００１４】
請求項８記載のホログラム記録方法は、レーザ光散乱手段を、記録用レーザ光を照射するレーザ光源からホログラム記録媒体までの間のレーザ光の光路上に挿脱自在に配置させることで、光路上のレーザ光散乱手段の有無により、レーザ光を定着用光又は記録用レーザ光にすることを特徴とする。
【発明の効果】
【００１５】
請求項１及び請求項５の発明によれば、散乱したレーザ光を定着用光としてホログラム記録媒体に照射することから、定着用の光スポットの光強度を一様でＬＥＤの光源の場合より強くすることができ、定着処理に時間を要しないようにすることができる。
【００１６】
請求項２及び請求項６の発明によれば、レーザ光散乱手段を回転させることから、レーザ光散乱手段によるレーザ光の散乱のされ方が全方向に一様でない場合でも定着用の光スポットの光強度を一様にできる。
【００１７】
請求項３及び請求項７の発明によれば、レーザ光散乱手段としてすりガラスを用いることで、レーザ光散乱手段を安価で容易に得ることができる。
【００１８】
請求項４及び請求項８の発明によれば、光路上のレーザ光散乱手段の有無により、レーザ光を定着用光又は記録用レーザ光にすることから、記録用レーザ光の光源と定着用光の光源を同一の光源にでき、装置のコストを抑えることができる。
【発明を実施するための最良の形態】
【００１９】
以下、本発明の形態について図面を参照しながら具体的に説明する。図１は、本発明に係るホログラム記録装置の光ヘッド部分の一例を示す構成図である。図２は、同ホログラム記録装置のレーザ光散乱装置を示す説明図である。図３は、本発明に係るホログラム記録装置の光ヘッド部分の他の例を示す構成図である。
【００２０】
図において、本実施例のホログラム記録媒体ＨＫに情報の書き込みを行うホログラム記録装置の光ヘッド１０は、レーザ光源１００，１２８、コリメートレンズ１０２，１３０、ＤＭＤ１０４、ミラー１０８，１１６、ビームスプリッタ１１０、ダイクロイックミラー１２０、対物レンズ１２２、アクチュエータ１２４、フォトディテクタ１１２，１３８等から構成されている。
【００２１】
レーザ光源１００は、ホログラム記録媒体ＨＫへの記録を行うための記録用レーザ光を照射するものである。レーザ光源１００が照射するレーザ光は、例えば５３０ｎｍの緑色のレーザである。コリメートレンズ１０２は、レーザ光源１００が照射したレーザ光を平行光にするものである。ミラー１０８，１１６は、レーザ光の進行方向を変えるものである。
【００２２】
ＤＭＤ１０４は、空間光変調器の一種で、周期構造を持った微小なミラーの集合体であり、入射した光を画素ごとに反射方向を変えることで光変調させるものである。ホログラム記録媒体ＨＫへ記録する際にはこの光変調により情報を持たせたレーザ光を作成することができる。また、レーザ光が当たる中心から所定の半径外の微小ミラーの反射方向を同方向にすることにより、単調なレーザ光である参照用のレーザ光を作成することもできる。すなわち、ＤＭＤ１０４は記録用レーザ光を反射させることで、情報用レーザ光と参照用のレーザ光を作成することができる。
【００２３】
ビームスプリッ夕１１０及びフォトディテク夕１１２は、ホログラム記録媒体ＨＫに記録されたデータを再生するとき、ホログラム記録媒体ＨＫから反射した光を分岐して受光するものである。リレーレンズ１１４，１１８は、レーザ光の断面の大きさを変更するものである。
【００２４】
ダイクロイックミラー１２０は、入射した光の波長により透過と反射を分ける特性を持っており、後述するサーボ用レーザ光と情報用レーザ光、参照用レーザ光とを合わせてホログラム記録媒体ＨＫに照射し、ホログラム記録媒体ＨＫから反射したレーザ光をサーボ用レーザ光と情報用レーザ光、参照用レーザ光とに分ける。
【００２５】
対物レンズ１２２は、サーボ用レーザ光と情報用レーザ光、参照用レーザ光とをホログラム記録媒体ＨＫの所定の位置に合焦させるためのものである。アクチュエータ１２４は、サーボ用レーザ光と情報用レーザ光、参照用レーザ光とをホログラム記録媒体ＨＫの所定の位置に合焦させるよう、サーボ用レーザ光の反射光から作成された信号に基づいて対物レンズ１２２を上下方向に駆動させる。
【００２６】
レーザ光源１２８は、サーボ用レーザ光のレーザ光源であり、出射されるレーザ光は波長が例えば６５０ｎｍの赤色レーザ光である。偏光ビームスプリッタ１３２は、光の偏光方向により透過と反射を分ける特性を持っており、レーザ光源１２８からのレーザ光を反射し、ホログラム記録媒体ＨＫから反射したレーザ光を透過する。
【００２７】
１／４波長板１２６は、偏光方向を変えるための光学素子であり、レーザ光が二回透過することにより、Ｓ偏光から円偏光、円偏光からＰ偏光のように偏光方向を変える。凸レンズ１３４、シリンドリカルレンズ１３６、フォトディテクタ１３８は、アクチュエータ１２４を駆動するためのフォーカスサーボ用の信号を作成するための光学素子で、本実施例では非点収差法によりフォーカスサーボ用の信号を作成するようになっている。
【００２８】
レーザ光散乱装置２００は、レーザ光の光路上に散乱物体であるすりガラスを回転させながら配置し、レーザ光を散乱させる装置である。具体的には、図２に示すように、レーザ光散乱装置２００は、円盤状すりガラス２０２、スピンドルモー夕２０４、支持部材２０６、スクリューロッド２０８、フィードモータ２ｌ０、ガイド部材２ｌ２等から構成されている。
【００２９】
円盤状すりガラス２０２は、最外周から所定半径位置までがすりガラスになっている。円盤状すりガラス２０２のすりガラス部分は、例えば、ガラスの表面を１５００番のサンドペーパーで磨くことにより形成させる。スピンドルモータ２０４は、円盤状すりガラス２０２を所定の回転速度で回転させるものである。支持部材２０６は、スピンドルモータ２０４を固定し、固着されたナットにスクリューロッド２０８が螺合されている。スクリューロッド２０８は、一端がフィードモータ２１０の回転軸に固定され、フィードモータ２ｌ０の回転により回転する。スクリューロッド２０８の回転により、支持部材２０６と一体でスピンドルモータ２０４と円盤状すりガラス２０２がスクリューロッド２０８の軸方向に移動する。ガイド部材２ｌ２は、支持部材２０６がスクリューロッド２０８の軸方向に移動する際のガイドの役割をしている。
【００３０】
レーザ光散乱装置２００は、情報用レーザ光と参照用レーザ光によるデータ記録の段階においては、フィードモータ２１０の回転により支持部材２０６が図１における上方に移動し、円盤状すりガラス２０２が光路上に配置されないためレーザ光は散乱されない。また、記録後の定着処理の段階においては、フィードモータ２１０の回転により支持部材２０６が図１における下方に移動し、円盤状すりガラス２０２が光路上に配置されレーザ光を散乱させる。散乱したレーザ光は広い範囲に散乱するが、所定の割合はレーザ光と同じ光路をとり対物レンズ１２２からホログラム記録媒体ＨＫに入射する。このときのスポットの大きさは記録の時と同程度かやや大きいが、スポット内の光強度は一様であり、ＬＥＤの場合より光強度が大きいため定着処理を一様に早く行うことができる。
【００３１】
このように構成されたホログラム記録装置において、作業者は入力装置（図示していない）を操作してＤＭＤ１０４に記録用データを出力し、レーザ光散乱装置２００のフィードモータ２１０の回転により円盤状すりガラス２０２をレーザ光が当たらない位置にして、記録用レーザ光源ｌ００とサーボ用レーザ光源１２８からレーザ光を出射し、ホログラム記録媒体ＨＫに記録を行う。そして、記録後、ＤＭＤ１０４の微小ミラーの反射方向を同方向にし、レーザ光散乱装置２００のスピンドルモータ２０４を回転させフィードモータ２１０の回転により円盤状すりガラス２０２をレーザ光が当たる位置にしてホログラム記録媒体ＨＫの記録の定着処理を行う。
【００３２】
以上のように、本実施例のホログラム記録装置によれば、散乱したレーザ光を定着用光としてホログラム記録媒体ＨＫに照射することから、定着用の光スポットの光強度を一様でＬＥＤの光源の場合より強くすることができ、定着処理に時間を要しないようにすることができる。
【００３３】
また、レーザ光散乱手段としての円盤状すりガラス２０２を回転させることから、円盤状すりガラス２０２によるレーザ光の散乱のされ方が全方向に一様でない場合でも定着用の光スポットの光強度を一様にできる。
【００３４】
さらに、レーザ光散乱手段として円盤状すりガラス２０２を用いることで、レーザ光散乱手段を安価で容易に得ることができる。
【００３５】
さらに、光路上のレーザ光散乱手段である円盤状すりガラス２０２の有無により、レーザ光を定着用光又は記録用レーザ光にすることから、記録用レーザ光の光源と定着用光の光源を同一の光源にでき、装置のコストを抑えることができる。
【００３６】
尚、本発明の実施にあたっては、上記実施形態に限定されるものではなく、種々の変形が可能である。ホログラム記録媒体によっては、定着処理のための光の波長を記録用レーザ光とは別の波長（例えば紫外光の波長）にした方が定着処理がうまくいくものがある。このようなホログラム記録媒体へ記録を行うホログラム記録装置においては、図３に示す光ヘッド２０のように、定着用レーザ光源１４０、コリメー卜レンズ１４２、ダイクロイックミラーｌ４４によりレーザ光散乱装置２００にレーザ光が入射する前に、定着用のレーザ光を記録用レーザ光の光路に合わせるようにすればよい。このようにすれば、上記の実施例同様、定着用の光スポットの光強度を一様でＬＥＤの光源の場合より強くすることができ、定着処理に時間を要しないようにすることができる。
【００３７】
また、上記の実施例においては、円盤状すりガラス２０２を回転させて入射したレーザ光が散乱するようにしたが、すりガラスを回転させないでレーザ光の光路上に配置するようにしてもよい。このようにすれば、定着用の光スポットは光強度の一様さの度合がやや劣るがレーザ光散乱装置２００の構成が簡単になるため、装置のコストを抑えることができる。また、上記の実施例においては、レーザ光を散乱させる物体としてすりガラスを用いたが、レーザ光を散乱させることができれば、すりガラス以外の物体を用いてもよい。例えば、表面に微小な凹凸が多数あるミラーなどを用いてもよい。
【産業上の利用可能性】
【００３８】
以上のように、本発明によれば、定着用の光スポットの光強度を一様でＬＥＤの光源の場合より強くすることができ、定着処理に時間を要しないようにすることができるホログラム記録装置及びホログラム記録方法を提供できる。
【図面の簡単な説明】
【００３９】
【図１】本発明に係るホログラム記録装置の光ヘッド部分の一例を示す構成図である。
【図２】同ホログラム記録装置のレーザ光散乱装置を示す説明図である。
【図３】本発明に係るホログラム記録装置の光ヘッド部分の他の例を示す構成図である。
【符号の説明】
【００４０】
１０・・・・光ヘッド
２０・・・・光ヘッド
１００・・・レーザ光源
１０２・・・コリメートレンズ
１０４・・・ＤＭＤ
１０８・・・ミラー
１１０・・・ビームスプリッタ
１１２・・・フォトディテクタ
１１４・・・リレーレンズ
１１６・・・ミラー
１１８・・・リレーレンズ
１２０・・・ダイクロイックミラー
１２２・・・対物レンズ
１２４・・・アクチュエータ
１２６・・・１／４波長板
１２８・・・レーザ光源
１３０・・・コリメートレンズ
１３２・・・偏光ビームスプリッタ
１３４・・・凸レンズ
１３６・・・シリンドリカルレンズ
１３８・・・フォトディテクタ
１４０・・・定着用レーザ光源
１４２・・・コリメートレンズ
１４４・・・ダイクロイックミラー
２００・・・レーザ光散乱装置
２０２・・・円盤状すりガラス
２０４・・・スピンドルモータ
２０６・・・支持部材
２０８・・・スクリューロッド
２１０・・・フィードモータ
２１２・・・ガイド部材
ＨＫ・・・・ホログラム記録媒体
【図１】
2007279475.tif 000003
【図２】
2007279475.tif 000004
【図３】
2007279475.tif 000005